(57)【要約】【課題】 眼鏡レンズの縁を削るためのルーターツールを提供する。また前記ルーターツールを有するレンズ加工機及び眼鏡レンズの縁を削る方法を提供する。【解決手段】ルーターツールは自身の軸を中心に回転することのできる縦長の本体と、本体の軸方向及び径方向に伸びる第一の刃とを有し、前記第一の刃はレンズの縁を第一の形状とするための第一のカッティング部を有し、さらに、前記第一の刃から前記本体の軸方向に間隔を空けて存在する第二の刃とを有し、前記第二の刃は前記本体の軸方向及び径方向に伸び、レンズの縁を前記第一の形状と異なる第二の形状とするための第二のカッティング部を有する。 【選択図】図６
2008516785.tif 000002
【特許請求の範囲】
【請求項１】
眼鏡レンズの縁を削るためのルーターツールであって、
自身の軸を中心に回転可能な縦長の本体と、
前記本体の軸方向及び径方向に伸びる第一の刃とを有し、
前記第一の刃はレンズの縁を第一の形状とするための第一のカッティング部を有し、さらに、
前記第一の刃から前記本体の軸方向に間隔を空けて存在する第二の刃とを有し
前記第二の刃は前記本体の軸方向及び径方向に伸び、レンズの縁を前記第一の形状と異なる第二の形状とするための第二のカッティング部を有することを特徴とするルーターツール。
【請求項２】
前記第一のカッティング部分と前記第二のカッティング部分のそれぞれが、第一の刃先、第一の刃先から間隔を空けた第二の刃先及び前記第一の刃先と前記第二の刃先の中間に位置し、それらと一体となる起伏刃先を有していることを特徴とする請求項１に記載のルーターツール。
【請求項３】
前記第一のカッティング部分と前記第二のカッティング部分の少なくとも１つの前記第一の刃先が、前記第二の刃先のある平面と離れた平面上にあることを特徴とする請求項２に記載のルーターツール。
【請求項４】
前記第一のカッティング部分と前記第二のカッティング部分の少なくとも１つの前記第一の刃先が、前記第二の刃先と同一平面上にあることを特徴とする請求項２に記載のルーターツール。
【請求項５】
前記第一のカッティング部分と前記第二のカッティング部分の少なくとも１つの前記起伏刃先が、レンズの縁に斜面を形成するために、本体に向かって内側に伸びていることを特徴とする請求項２に記載のルーターツール。
【請求項６】
前記起伏刃先がＶ字形状をしていることを特徴とする請求項５に記載のルーターツール。
【請求項７】
前記起伏刃先が前記第一の刃先に接する第一の側面と前記第二の刃先に接する第二の側面とを有することを特徴とする請求項５に記載のルーターツール。
【請求項８】
前記第一の側面が平面であることを特徴とする請求項７に記載のルーターツール。
【請求項９】
前記第一の側面が前記第一の刃先から第一の角度で傾斜して伸びており、前記第二の側面が前記第二の刃先から前記第一の角度とは異なった第二の角度で傾斜して伸びていていることを特徴とする請求項８に記載のルーターツール。
【請求項１０】
前記第二の側面が前記第二の刃先に対して垂直であることを特徴とする請求項９記載のルーターツール。
【請求項１１】
前記第一の側面が弓形であることを特徴とする請求項７に記載のルーターツール。
【請求項１２】
前記第一のカッティング部分と前記第二のカッティング部分の少なくとも１つの前記起伏刃先が、レンズの縁に溝を形成するために、前記第一の刃先及び前記第二の刃先に関して外側に伸びることを特徴とする請求項２に記載のルーターツール。
【請求項１３】
前記本体の周囲に形成され、前記起伏刃先と同一直線上にある溝をさらに有することを特徴とする請求項２に記載のルーターツール。
【請求項１４】
前記溝がＶ字形であることを特徴とする請求項１３に記載のルーターツール。
【請求項１５】
前記本体が円筒状であることを特徴とする請求項１に記載のルーターツール。
【請求項１６】
前記本体がシャフトに取り付けるための基部に近い部分と、基部に遠い部分とを有することを特徴とする請求項１に記載のルーターツール。
【請求項１７】
前記基部に近い部分が、前記基部に近い部分の外側の端から前記基部に近い部分中に伸びる前記本体と同軸の穴を有し、 前記シャフトを前記穴の中に取り外し可能に取り付けることが可能であることを特徴とする請求項１６に記載のルーターツール。
【請求項１８】
前記基部に遠い部分が少なくとも２つの凹部を有し、それぞれの前記凹部が底と第一の側壁と第二の側壁を有することを特徴とする請求項１６に記載のルーターツール。
【請求項１９】
前記刃がそれぞれ、前記各凹部に取り外し可能に取り付けられていることを特徴とする請求項１８に記載のルーターツール。
【請求項２０】
前記底が第一の平面中にある第一の部分と前記第一の部分の存する面に関して角度を有する平面中にある第二の部分とを有することを特徴とする請求項１９に記載のルーターツール。
【請求項２１】
前記刃が取り付けブラケット及び留め具によって第二の部分に取り外し可能に取り付けられていることを特徴とする請求項２０に記載のルーターツール。
【請求項２２】
前記第一の部分が、前記留め具を受け入れ、前記取り付けブラケットを取り付けるためのねじ山つき穴を有していることを特徴とする請求項２１に記載のルーターツール。
【請求項２３】
前記取り付けブラケットが、前記留め具のねじ山のついた部分を前記ねじ山つき穴の中へと通すための開口を有していることを特徴とする請求項２２に記載のルーターツール。
【請求項２４】
前記取り付けブラケットが、主要部分と主要部分に対して角度を有する脚部を有することを特徴とする請求項２１に記載のルーターツール。
【請求項２５】
前記刃の第一の側面が前記凹部の前記第一の側壁に対して位置し、前記脚部が前記第一の側面の反対側の前記刃の第二の側面に対して、取り外し可能に引張られ、前記刃を取り付けていることを特徴とする請求項２４に記載のルーターツール。
【請求項２６】
前記第一の刃が前記第二の刃と径方向に間隔を空けていること特徴とする請求項１に記載のルーターツール。
【請求項２７】
前記第一の刃と前記第二の刃から前記本体の軸方向に間隔を空けて存在する第三の刃を有し、前記第三の刃が前記本体の軸方向及び径方向に伸び、レンズの縁を前記第一の形状及び前記第二の形状と異なる第三の形状とするための第三のカッティング部を有することを特徴とする請求項１に記載のルーターツール。
【請求項２８】
前記第一の刃、前記第二の刃及び前記第三の刃が径方向に互いに間隔を空けていることを特徴とする請求項２７に記載のルーターツール。
【請求項２９】
眼鏡レンズの縁を削るためのルーターツールであって、
自身の軸を中心に回転可能な縦長の本体を有し、
前記本体はシャフトに取り付けるための基部に近い部分と少なくとも第一及び第二の凹部を有する基部に遠い部分を有し、さらに
前記第一の凹部に、取り付けブラケットと留め具を用いて取り外し可能に取り付けられている第一の刃とを有し、
前記第一の刃は、前記本体の軸方向及び径方向に伸び、レンズの縁を第一の形状とするための第一のカッティング部を有し、さらに、
前記第二の凹部に取り付けブラケットと留め具を用いて取り外し可能に取り付けられている第二の刃とを有し、
前記第二の刃は、前記第一の刃から前記本体の径方向及び軸方向に間隔を空け、前記本体の軸方向及び径方向に伸び、レンズの縁を前記第一の形状と異なる第二の形状とするための第二のカッティング部を有することを特徴とするルーターツール。
【請求項３０】
前記基部に遠い部分の第三の凹部に取り付けブラケットと留め具を用いて取り外し可能に取り付けられている第三の刃をさらに有し、前記第三の刃は、前記第一の刃と前記第二の刃から前記本体の径方向及び軸方向に間隔を空けて存在し、前記本体の軸及び径方向に伸び、レンズの縁を前記第一の形状及び前記第二の形状と異なる第三の形状とするための第三のカッティング部を有することを特徴とする請求項２９に記載のルーターツール。
【請求項３１】
前記基部に遠い部分の第四の凹部に取り付けブラケットと留め具を用いて取り外し可能に取り付けられている第四の刃をさらに有し、前記第四の刃は、前記第一の刃、前記第二の刃及び前記第三の刃から前記本体の軸方向に間隔を空けて存在し、前記本体の軸方向に伸び、レンズの縁を前記第一の形状、前記第二の形状及び前記第三の形状と異なる第四の形状とするための第四のカッティング部を有することを特徴とする請求項３０に記載のルーターツール。
【請求項３２】
眼鏡レンズの縁を形作るレンズ加工機であって、
第一の方向に動くことが可能な第一のテーブルと、
前記第一のテーブルを前記第一の方向に制御可能に動かす第一のドライブモーターと、
前記第一のテーブルに取り付けられ、前記第一のテーブルとともに動くことが可能なレンズのクランプ及び回転アセンブリとを有し、
前記回転アセンブリは、レンズを前記第一の方向に対して横に伸びる第一の軸の回りを制御可能に回転させ、さらに、
前記第一の方向に垂直で、前記第一の軸に平行な第二の方向に動くことが可能な第二のテーブルと、
前記第二のテーブルを前記第二の方向に制御可能に動かす第二のドライブモーターと、
前記第二のテーブルに取り付けられ、前記第二のテーブルとともに動くことが可能なルーターツールとを有し、
前記ルーターツールは、前記第一の軸に平行な第二の軸を中心に回転可能であり、縦長の本体を有し、さらに、
前記本体の軸方向及び径方向に伸びる第一の刃とを有し、
前記第一の刃は、レンズの縁を第一の形状とするため、第一のカッティング部を有し、さらに、
前記第一の刃と前記本体の軸方向に間隔を空けて存在する第二の刃とを有し、
前記第二の刃は前記本体の軸方向及び径方向に伸び、レンズの縁を前記第一の形状と異なる第二の形状とするための第二のカッティング部を有し、さらに、
前記ルーターツールを２０，０００ＲＰＭ以下の速さで回転させる高速モーターとを有することを特徴とするレンズ加工機。
【請求項３３】
前記第二のテーブルに取り付けられ、前記第二のテーブルとともに動くことが可能なノズルをさらに有し、前記ノズルは前記ルーターツールと一直線上に隣接し、冷却流体をルーターツールの方向に選択的に方向付けることを特徴とする請求項３２記載のレンズ加工機。
【請求項３４】
眼鏡レンズの縁を形作るレンズ加工機であって、
基板と、
前記基板に取り付けれられ、第一の方向に動くことが可能な第一のテーブルと、
前記第一のテーブルを前記第一の方向に制御可能に動かす第一のドライブモーターと、
前記第一のテーブルに取り付けられ、前記第一の方向に垂直な第二の方向に動くことが可能な第二のテーブルと、
前記第二のテーブルを前記第二の方向に制御可能に動かす第二のドライブモーターと、
前記第二のテーブルに取り付けられ、前記第二のテーブルとともに動くことができるレンズのクランプと回転アセンブリとを有し、
前記回転アセンブリは、前記第一の方向に対して平行に伸び、前記第二の方向に対して垂直である第一の軸の回りを制御可能にレンズを回転させ、さらに、
前記基板に取り付けられたルーターツールとを有し、
前記ルーターツールは、前記第一の軸に平行な第二の軸を中心に回転可能であり、縦長の本体を有し、さらに、
前記本体の軸方向及び径方向に伸びる第一の刃とを有し、
前記第一の刃は、レンズの縁を第一の形状とするため、第一のカッティング部を有し、さらに、
前記第一の刃と前記本体の軸方向に間隔を空けて存在する第二の刃とを有し、
前記第二の刃は、本体の軸方向及び径方向に伸び、レンズの縁を第一の形状と異なる第二の形状とするための第二のカッティング部を有し、さらに、
前記ルーターツールを２０，０００ＲＰＭ以下の速さで回転させる高速モーターとを有することを特徴とするレンズ加工機。
【請求項３５】
眼鏡レンズの縁を削る方法であって、
縁を有するレンズを用い、
少なくとも、前記レンズの縁を第一の形状とするための第一のカッティング部を備えた第一の刃と、前記レンズの縁を第一の形状と異なる第二の形状とするための第二のカッティング部を備えた第二の刃を有するルーターツールを用い、
前記レンズを幾何学的な軸の回りを回転させ、
前記レンズの縁を形作る前記第一の刃及び前記第二の刃の中の１つを選択し、
前記ルーターツールが２０，０００ＲＰＭ以下の速さで回転する際に、前記レンズの縁と選択された刃とをかみ合わせ、
前記レンズの縁を、選択された刃に対応する第一の形状及び第二の形状の中の１つの形状にすることを特徴とする眼鏡レンズの縁を削る方法。
【発明の詳細な説明】
【技術分野】
【０００１】
本発明は、眼鏡レンズの縁を削るためのルーターツールに関するものである。ルーターツールは、自身の軸を中心に回転することのできる縦長の本体を有する。第一の刃が本体の軸方向及び径方向に伸び、レンズの縁を第一の形状とするため、第一のカッティング部を有する。第二の刃は、第一の刃から本体の軸方向に間隔を空けて存在する。第二の刃は本体の軸方向及び径方向に伸び、レンズの縁を第一の形状と異なる第二の形状とするため、第二のカッティング部を有する。本発明は、開示されたルーターツールを有するレンズ加工機、及び眼鏡レンズの縁を削る方法についても開示する。
【背景技術】
【０００２】
眼鏡レンズは光が患者の目の網膜に正しく焦点を結ぶことにより、患者の視野を改善するよう曲げられている。そういったレンズは患者に正しい処方を提供する所望の特性を有するガラス製又はプラスチック製のレンズから形成される。レンズは通常円形で、眼鏡フレームに取り付けられる最終のレンズより大きめの寸法をしている。例えば直径７０ｍｍで厚さ１０ｍｍである。それゆえ、レンズは患者の選んだ眼鏡フレームに適合するよう縁を削らなくてはならない。
【０００３】
眼科の技術者は、眼鏡技師、検眼医、眼科医から処方された処方箋に従って、レンズを削り、研磨し、縁を削り、磨く。さらに、少し直径の大きなレンズが患者の選んだフレームに適応するようにサイズを合わされ、形づくられる。レンズは、レンズ加工機によって形づくられ、例えばケネディーらの米国特許６，２０３，４０９の公報に記載されたレンズ加工機が挙げられ、本願に参照して盛り込む。レンズは最終的にレンズの縁がフレームに適合するように加工される。
【０００４】
従来技術によれば、レンズはその表面にブロックを用いることを必要とする。このブロックは取り外し可能にクランプアセンブリに取り付けられ、クランプアセンブリが回転することにより、レンズが対応して回転するようになる。レンズの縁は、ルーターツールを用いて所望のサイズに切られる。縁はさらに磨き手段で磨かれてもよい。レンズの縁の周り、特に着用者に隣接する部分に面取りがしばしば用いられる。ルーターと研磨ハブを組み合わせた手段が用いられていてもよく、米国特許６，２０３，４０９の公報に開示されている。
【０００５】
完成したレンズは選択された眼鏡フレームに取り付けられる。眼鏡フレームは完成したレンズを取り付けるための２つの離れた開口空間を有する。眼鏡フレームの開口は、多くは斜面又は舌状のものを有し、レンズの縁の周りに形成された補足的形状の斜面または溝のそれぞれとともにインターロックする。補足的形状の斜面と溝との間のインターロックはレンズをフレームの開口内に取り付ける補助となる。レンズ加工機のルーター及び研磨手段はレンズの周囲に斜面又は溝を形成する。
【０００６】
レンズの縁に削られた斜面又は溝の形状は、フレームの開口における斜面又は舌状のものの形状により様々である。それゆえ、異なった斜面又は溝の形状を形成するために、様々なルーター及び研磨手段が用いられる。ルーター及び研磨手段は、シャフト及びチャックアセンブリによってレンズ加工機に入れ替え、取り付けることが可能である。こうして技術者は、異なった斜面又は溝が必要とされるたびに ルーター及び研磨手段を交換しなくてはならない。
【特許文献１】ＵＳ６，２０３，４０９Ｂ１
【発明の開示】
【発明が解決しようとする課題】
【０００７】
本発明は、眼鏡レンズの縁を削るためのルーターツールに関するものである。
【課題を解決するための手段】
【０００８】
本発明の第一の態様においては、ルーターツールは、自身の軸を中心に回転することのできる縦長の本体を有する。第一の刃が本体の軸方向及び径方向に伸びる。第一の刃はレンズの縁を第一の形状とするための第一のカッティング部を有する。第二の刃は、第一の刃から軸方向に間隔を空けて存在する。第二の刃は本体の軸方向及び径方向に伸び、レンズの縁を第一の形状と異なる第二の形状とするための第二のカッティング部を有する。
【０００９】
本発明の第二の態様においては、レンズの縁を削るためのルーターツールは、自身の軸を中心に回転することのできる縦長の本体を有する。本体は、シャフトに取り付けるための基部に近い部分と第一及び第二の凹部を有する基部に遠い部分を有する。第一の刃は取り外し可能に取り付けブラケット及び留め具によって第一の凹部に取り付けられている。第一の刃は、本体の軸方向及び径方向に伸び、レンズの縁を第一の形状とするため、第一のカッティング部を有する。第二の刃は取り外し可能に取り付けブラケット及び留め具によって第二の凹部に取り付けられている。第二の刃は、第一の刃から軸方向に間隔を空けて存在し、本体の軸方向及び径方向に伸びる。第二の刃はレンズの縁を第一の形状と異なる第二の形状とするため、第二のカッティング部を有する。
【００１０】
本発明は、眼鏡レンズの縁を形作るレンズ加工機についても開示する。レンズ加工機は、第一の方向に動くこと可能な第一のテーブルと第一のテーブルを第一の方向に制御して動かす第一のドライブモーターを有する。レンズのクランプ及び回転アセンブリは第一のテーブルに取り付けられ、第一のテーブルとともに動くことができる。回転アセンブリは、レンズを第一の方向に対して横断する第一の軸の回りを制御可能に回転させる。第二のテーブルは、第一の方向に垂直で、第一の軸に平行な第二の方向に動くことが出来る。第二のドライブモーターは、第二のテーブルを第二の方向に制御可能に動かす。ルーターツールが第二のテーブルに取り付けられ、第二のテーブルとともに動くことができる。ルーターツールは、第一の軸に平行な第二の軸を中心に回転する。ルーターツールは、縦長の本体を有し、第一の刃が本体の軸及び径方向に伸び、第二の刃が第一の刃から軸方向に間隔を空けて存在し本体の軸及び径方向に伸びる。第一の刃はレンズの縁を第一の形状とするため、第一のカッティング部を有する。第二の刃は、レンズの縁を第一の形状と異なる第二の形状とするため、第二のカッティング部を有する。高速モーターがルーターツールを２０，０００ＲＰＭ以下の速さで回転させる。
【００１１】
本発明は、眼鏡レンズの縁を形作るレンズ加工機の第二の態様についても開示する。レンズ加工機は基板、第一のテーブル、第二のテーブル、レンズのクランプ及び回転アセンブリ及びルーターツールを有する。第一のテーブルは基板に取り付けられ、第一の方向に動くことができる。第一のドライブモーターは、第一のテーブルを第一の方向に制御して動かす。第二のテーブルは第一のテーブルに取り付けられ、第一の方向に垂直な第二の方向に動くことができる。第二のドライブモーターは、第二のテーブルを第二の方向に制御して動かす。レンズのクランプ及び回転アセンブリは第二のテーブルに取り付けられ、第二のテーブルとともに動くことができる。回転アセンブリは、レンズを第一の方向に平行で、第二の方向に垂直な第一の軸の回りを制御して回転させる。ルーターツールは基板に取り付けられ、第一の軸に平行な第二の軸の回りを回転する。ルーターツールは、縦長の本体を有し、第一の刃が本体の軸及び径方向に伸び、レンズの縁を第一の形状とするため、第一のカッティング部を有する。第二の刃は、第一の刃から軸方向に間隔を空けて存在する。第二の刃は、本体の軸方向及び径方向に伸び、レンズの縁を第一の形状と異なる第二の形状とするため、第二のカッティング部を有する。高速モーターがルーターツールを２０，０００ＲＰＭ以下の速さで回転させる。
【００１２】
本発明は、眼鏡レンズの縁を削る方法についても開示する。縁を有するレンズ用い、ルーターツールを用いる。ルーターツールは、少なくとも、レンズの縁を第一の形状とするための第一のカッティング部を備えた第一の刃と、レンズの縁を第一の形状と異なる第二の形状とするための第二のカッティング部を備えた第二の刃を有する。レンズは幾何学的な軸の回りを回転する。レンズの縁を形作る第一の刃及び第二の刃の中から１つが選択され、ルーターツールを２０，０００ＲＰＭ以下の速さで回転する際に、レンズの縁は選択された刃とかみ合う。そうしてレンズの縁は、選択された刃に対応する第一の形状及び第二の形状の中の１つの形状となる。
【発明を実施するための最良の形態】
【００１３】
図１は、本発明のレンズ加工機Ｈの第一の態様であって、構成部品を囲み入れ、操作者がコントロールＣによって操作することのできるハウジングを有する。ハウジングにおいて、ヒンジにより結合しているハウジング底部１０とハウジング上部１２を有する。ハウジング上部１２は、操作者がハウジング内部に接することができるように、ヒンジ又はスライド１６によって開けられる窓１４を有する。 スイッチ１８は、窓１４に取り付けられていてもよく、窓とともに動き、窓１４が持ち上げられている又は開かれているときは、レンズ加工機の稼動を妨げる。コントロールパネルＣはハウジング上部１２に取り付けられ、技術者がレンズ加工機Hのまとめられた様々なコントロール１９に接することを可能とする。
【００１４】
図２は、レンズ加工機Hがハウジング内に有する基板２０であり、第一のテーブル２２及び２４が互いに垂直な動きをするように取り付けられている。レール２６と２８は基板２０に取り付けられ、基板２０に対し平行な第一の方向に伸びる。第一のテーブル２２は、レール２６と２８にスライド可能に取り付けられ、それらに沿って第一の方向に動く。サーボモータードライブ３０は基板２０のレール２６の近傍に取り付けられ、回転スクリュー３２に操作可能に結合し、回転スクリュー３２を制御して回転させる。ブラケット３４は、第一のテーブル２２の前方端に取り付けられる。ブラケット３４は、ボールナットと一体となって回転スクリュー３２にねじ止めされ、回転スクリュー３２の回転に対応して、ボールナット、ブラケット３４及び第一のテーブル２２が移動する。
【００１５】
サーボモータードライブ３６は第一のテーブル２２に取り付けられ、運ばれる。また、操作可能なようにモーターカップリング４０を通してトランスミッション３８に結合している。シャフト４２はトランスミッション３８からレール２６及び２８により定められた第一の方向を横断する方向に伸びる。シャフト４２はサーボモータードライブ３６がトランスミッション３８を通して働くので、正確に制御されて回転する。クランプアセンブリ４４はシャフト４２の端に取り付けられ、シャフト４２とともに回転する。クランプアセンブリ４４は、加工されるレンズに取り外し可能に取り付けられたブロックとかみ合うように作られている。
【００１６】
空気圧式レンズクランプシリンダー４６は第一のテーブル２２にサーボモータードライブ３６の上方で取り付けられている。そしてその伸縮可能なピストンは、操作可能にアーム４８とかみ合ってアーム４８を動かす。アーム４８は、レンズにかみ合うよう作られた第二のクランプアセンブリ５０を運ぶ。技術者がコントロール１９の１つにより空気圧式レンズクランプシリンダー４６を駆動すると、第二のクランプアセンブリ５０はクランプアセンブリ４４に近づき又は遠ざかり、そうしてブロックされたレンズをクランプ留めし又は外す。従来技術によれば、ブロックは外すことが可能な状態でクランプアセンブリ４４に取り付けられ、クランプアセンブリ４４のシャフト４２による回転により、対応してシャフト４２の軸の回りをブロックされたレンズが回転する。
【００１７】
高スピードモーター５２が第二のテーブル２４に取り付けられており、回転シャフト５４を有する。 高スピードモーター５２は好ましくはシャフト５４を２０，０００ＲＰＭ以下のスピードで回転させる。ルーターツールＴが回転シャフト５４に取り付けられ、回転シャフト５４とともに回転し、レンズを切削する。
【００１８】
レール５６と５８は基板２０に取り付けられ、レール２６と２８により定められる第一の方向に垂直な第二の方向に伸びる。第二のテーブル２４は、 レール５６と５８にスライド可能に取り付けられ、それらによって定められる第二の方向に動く。サーボモータードライブ６０は基板２０に取り付けられ、回転スクリュー６２を駆動する。ブラケット６４は第二のテーブル２４に取り付けられ、 回転スクリュー６２にねじによりかみ合うボールナットを有するので、回転スクリュー６２のサーボモータードライブ６０による回転は、対応するブラケット６４の移動を生じ、従って第二のテーブル２４の移動を生じる。サーボモータードライブ６０、回転スクリュー６２及びブラケット６４のボールナットによって正確にコントロールすることにより、クランプアセンブリ４４と５０の間にクランプ留めされ、回転させられているレンズに対してルーターツールＴを正確な位置とすることになり、加工作業を進行することができる。
【００１９】
水供給器６６は、操作可能に基板２０と関連付けられている。供給管６８は、ブラケット６４にチューブ又は軽パイプ７２によって取り付けられているスプレーノズル７０に通じ、第二のテーブル２４がレール５６及び５８上をスライドする際に、スプレーノズル７０がルーターツールＴ に対し常に同じ方向を向くようにする。当業者であれば、水供給器６６にポンプ又は圧力調整器を結合し、スプレーノズル７０による水滴形成が適切となるよう水圧を調節するであろう。
【００２０】
図２及び図３に、基板２０に長方形の開口７４が形成されていてもよいことが記載されている。チップシュート７６がブラケット等を通って第二のテーブル２４に取り付けられており、長方形の開口７４を部分的に閉じる板となる。アパーチャ７８がルーターツールＴの下方でチップシュート７６中に形成される。カウル８０はチップシュート７６のアパーチャ７８にフィットするダクト８２を有する。 カウル８０はクランプアセンブリ４４と５０の間にクランプ留めされたレンズをサーボモータードライブ３０の駆動中ルーターツールＴとかみあわさせるための、ルーターツールＴに隣接した開口を提供するスロット８４を有する。真空ライン８６は、チップシュート７６の下方でダクト８２に取り付けられ、カウル８０を真空にする。真空ライン８６は真空源で終了し、空気、微粒子、水ミストをカウル８０を通して真空源に吸い込む。開口７４により、真空ライン８６は第二のテーブル２４がサーボモータードライブ６０の操作に応じて動く際に第二のテーブル２４に伴って動く。
【００２１】
レンズ加工機Ｈ２の第二の態様を図３Ａに示す。レンズ加工機H２のいくつかの部品は、レンズ加工機Ｈの部品と同一であり、参照番号を同一にして表している。レンズ加工機Ｈ２は先に述べられ、図１に示されたハウジング底部１０とハウジング上部１２を有していてもよい。
【００２２】
図３Ａに示すように、レンズ加工機Ｈ２はハウジング内に基板２０Ａ を有する。好ましくは、基板２０Ａは、基板２０Ａに垂直に外側へと伸びる壁２１を有する。高スピードモーター５２は基板２０Ａに直接取り付けられ、ブラケット等を用いて壁２１に取り付けられていてもよい。壁２１は開口を有し、その開口から回転シャフト５４が伸びる（図示されていない）。高スピードモーター５２は好ましくは回転シャフト５４を２０，０００ＲＰＭ以下のスピードで回転させる。ルーターツールＴが回転シャフト５４に前述のように取り付けられる。第一の態様と同様に、水供給器は操作可能に基板２０Ａと関連付けられ、ルーターツールＴに隣接し、供給ラインとスプレーノズルを有していてもよい。
【００２３】
第一のプレート２２Ａは、基板２０Ａにレール２６Ａ、２８Ａによって取り付けられている。 レール２６Ａ、２８Ａは基板２０Ａに取り付けられ、基板２０Ａに関して平行な第一の方向に伸びる。第一のプレート２２Ａは、スライド可能にレール２６Ａ、２８Ａに取り付けられ、それらに沿って第一の方向に動く。サーボモータードライブ３０Ａは基板２０Ａに取り付けられ、操作可能に回転スクリュー３２Ａと結合し、制御して回転させる。サーボモータードライブ３０Ａは高スピードモーター５２に隣接して壁２１に取り付けられていてもよく、その場合、壁２１は開口を有し、その開口から回転スクリュー３２Ａが伸びる。第一のプレート２２Ａは回転スクリュー３２Ａとかみ合うブラケット（図示されていない）を有し、回転スクリュー３２Ａが回転すると、第一のプレート２２Ａがレール２６Ａ、２８Aに沿って動く。
【００２４】
第二のプレート２４Ａは、第一のプレート２２Ａにレール５６Ａ、５８Ａ（レール５８Ａは図示されていない）によって取り付けられている。 レール５６Ａ、５８Ａは第一のプレート２２Ａに取り付けられ、レール２６Ａ、２８Ａによって定められる第一の方向に垂直な第二の方向に互いに平行に伸びる。第二のプレート２４Ａは、スライド可能にレール５６Ａ、５８Ａに取り付けられ、それらによって定められる第二の方向に動く。好ましくはレール５６Ａ、５８Ａは、レール２６Ａ、２８Ａの平面から間隔を空けた平面状にあり、第一のプレート２２Ａの第一の方向への動きと第二のプレート２４Ａの第二の方向への動きが、レール２６Ａ、２８Ａ及びレール５６Ａ、５８Ａによって妨げられないようにする。サーボモータードライブ６０Ａは第一のプレート２２Ａに取り付けられ、回転スクリュー（図示されていない）を駆動する。ブラケットは第二のプレート２４Ａに取り付けられ、回転スクリューとかみ合い、回転スクリューがサーボモータードライブ６０Ａによって回転させられることにより、第二のプレート２４Ａをレール５６Ａ、５８Ａに沿って動かす。
【００２５】
サーボモータードライブ３６Ａは第二のプレート２４Ａに取り付けられ、運ばれ、操作可能にモーターカップリング４０Ａを通過してトランスミッション３８Ａに結合する。シャフト４２は、トランスミッション３８Ａからレール２６Ａ、２８Ａによって定められる第一の方向に対して平行の方向に伸びる。シャフト４２Ａは、トランスミッション３８ Ａを通したサーボモータードライブ３６Ａ によって正確に制御されて回転させられる。第一の態様において、クランプアセンブリ４４Ａはシャフト４２Ａの端に取り付けられ、シャフト４２Ａとともに回転する。クランプアセンブリ４４Ａは加工されるレンズに取り外し可能に取り付けられたブロックとかみ合うように造られている。
【００２６】
電動式レンズクランプシリンダー４６Ａは、サーボモータードライブ３６Ａに隣接して第二のプレート２４Ａに取り付けられ、そしてその伸縮可能なピストンは、操作可能にアーム４８Ａとかみ合い動かす。アーム４８Ａは、レンズにかみ合うよう造られた第二のクランプアセンブリ５０Ａを運ぶ。技術者がコントロールの１つにより電動式レンズクランプシリンダー４６Ａを駆動すると、第二のクランプアセンブリ５０Ａがクランプアセンブリ４４Ａに近づき又は遠ざかる。そうしてブロックされたレンズをクランプ留めし又は外す。
【００２７】
基板２０Ａに開口７４Ａが形成されていてもよい。チップシュート７６Ａがブラケット等によって基板２０Ａに取り付けられており、開口７４Ａを部分的に覆う板となる。チップシュート７６Ａは、チップシュート７６に類似しており、同じ説明は繰り返さない。同様に真空ラインは、チップシュート７６Ａの下方に存在し、基板２０Ａに取り付けられ、空気、微粒子、水ミストをカウル８０を通して真空源に吸い込む。
【００２８】
図４−７を参照すると、 ルーターツールＴは縦方向に長い形状をしており、円筒型で自身の軸を中心に回転可能である。図４と図６を参照すると、ルーターツールＴは対する第一の端１００と第二の端１０２を有する。基部に近い部分１０４は第一の端１００に最も近く、基部に遠い部分１０６は第二の端１０２に最も近い。基部に遠い部分１０６の直径は、基部に近い部分１０４の直径よりわずかに小さい。ルーターツールＴはグレード３０３のステンレススチールから製造される。
【００２９】
基部に近い部分１０４は、第一の端１００から基部に近い部分１０４中に伸びる同軸の穴１０８を有し、図４及び図５に示す。穴１０８はシャフト５４をその中に受け入れるように作られている。さらに、ねじ山のついた開口１１０が基部に近い部分１０４中に伸び、第一の端１００と、基部に近い部分１０４と基部に遠い部分１０６の間の接触面１１２の中間に位置する。
【００３０】
接触面１１２は、図６に示すように、好ましくは基部に近い部分１０４から基部に遠い部分１０６に向けて角度がある 。ねじ山のついた開口１１０は、基部に近い部分１０４通って穴１０８へと内側に伸び、好ましくは穴１０８と垂直に伸びる。ねじ山のついた留め具１１４は、ねじ山のついた開口１１０へとねじこまれ、ねじ山のついた留め具１１４の先端が穴１０８へと突き出す。
【００３１】
ルーターツールＴは、軸５４を穴１０８中にスライドすることにより、レンズ加工機Hのシャフト５４に取り付け可能であってもよい。ねじ山のついた留め具１１４はそうして開口１１０にねじこまれ、 ねじ山のついた留め具１１４の先端は、シャフト５４に対して締められ、そうしてルーターツールＴはシャフト５４に取り外し可能に取り付けられる。しかしながら、当業者には、ルーターツールＴが他の取り付け手段、例えばクランプやボルトによってシャフト５４に取り付けてもよいことは明らかである。代わりに、穴１０８は、対応するねじ山のついたシャフト（図示されていない）とかみ合うようねじ山がつけられていてもよい。
【００３２】
図４及び図５に示すように、基部に近い部分１０４は、第一の端１００から基部に近い部分１０４中に伸び、穴１０８に平行に間隔を空けて存在する第二の同軸の穴１１６を有していてもよい。第二の穴１１６は、ルーターツールＴが軸の回りを回転する際にバランスをとるためのものであってもよい。第二の穴１１６は、通常、穴１０８の直径よりも小さい直径を有する。しかしながら、第二の穴１１６の正確な寸法は、ルーターツールＴの形状に依存する。
【００３３】
基部に遠い部分１０６は図４−７に示す軸方向に間隔を空けて存在する複数の凹部Ｒ１、Ｒ２、Ｒ３、Ｒ４ を有する。 凹部Ｒ１−Ｒ４は好ましくは径方向にも互いに間隔を空けている。図７に示すように、凹部Ｒ４は、基部に遠い部分１０６の外側の表面１２０に関して内側にある底１１８を有する。それぞれの底１１８は第一の部分１２２と第二の部分１２４を有する。好ましくは、第一の部分１２２は第二の部分１２４の面に関して角度を有する面にある。第一の部分１２２は、基部に遠い部分１０６中に伸びるねじ山のついた穴１２６ を有する。凹部Ｒ２−Ｒ４もまた、第一の部分１２２と第二の部分１２４を有する底１１８を有する。凹部Ｒ１は図５に示すように２つのねじ山のついた穴１２６を有する。
【００３４】
それぞれの凹部Ｒ１、Ｒ２、Ｒ３、Ｒ４ は対応するカッターアセンブリを受け入れるように作られている。図５及び図７によれば、それぞれのカッターアセンブリは、刃１２８、取り付けブラケット１３０及びねじ山のついた取り付けスクリュー１３２を有する。好ましくは、図５に示すようにカッターアセンブリは凹部Ｒ１中に位置し、２つの取り付けスクリュー１３２を有する。それぞれの取り付けブラケット１３０は、対応する凹部Ｒ１−Ｒ４中に受け入れられ、取り付けスクリュー１３２によってそこに取り付けられる。
【００３５】
取り付けブラケット１３０は、主要部分１３４と主要部分１３４に対して角度を有する脚部１３６を有する。主要部分１３４は、開口１３８を有し、その開口を取り付けスクリュー１３２のねじ部分が通過していてもよい。好ましくは、図５に示すようにカッターアセンブリは凹部Ｒ１中に位置し、２つの開口１３８を有する取り付けブラケット１３０’を有していてもよい。
【００３６】
図７−１０に示すように、それぞれの刃１２８は、刃先１４２を有する第一の側面１４０、第二の側面１４４及び刃先１４２から第二の側面１４４へ下がる傾斜部分１４６を有する。刃先１４２は、加工操作の間、レンズの縁に望ましい形状を形成するための、どのような望ましい形状を有していてもよい。
【００３７】
図８に示すように、刃先１４２は、第一の刃先１４８及び第一の刃先１４８から間隔を空けた第二の刃先１５０及び第一の刃先及び第二の刃先 の中間に位置し、それらと一体となる起伏刃先１５２を有していてもよい。第一の刃先１４８及び第二の刃先１５０は同一平面上にあるか又は互いに離れた平面上にあるかのいずれかである。
【００３８】
起伏刃先１５２は、図８に示すように、第一の側壁１５２ａと第二の側壁１５２ｂによりＶ字形状をしていてもよい。第一の側壁１５２ａは第一の刃先１４８から第一の角度で傾斜して伸びていてもよく、第二の側壁１５２ｂは、第二の刃先１５０から第一の側壁１５２ａの角度とは異なった第二の角度で伸びていてもよく、又は第一の角度と第二の角度は同じ角度であってもよい。
【００３９】
起伏刃先１５２は、図９に示すように弓形の輪郭である部分１５２cを有していてもよい。起伏刃先１５２は、第一の刃先１４８及び第二の刃先１５０に垂直な部分１５２ｄを有していてもよい。
【００４０】
刃先１４２は、図１０に示すように、第一の刃先１４８及び第二の刃先１５０に関し、外向きに伸びる起伏刃先１５２’を有していてもよい。当業者には、刃先１４８、１５０、１５２（又は１５２’）は、レンズの縁に望ましい形状を形成するためのどのような形状であってもよいことが理解されるであろう。それゆえ、図４−１０に示す刃１２８の形状は、説明のためであって、本願はそれらに限定されない。
【００４１】
刃先１４８、１５０、１５２の形状は、レンズの縁に形成される縁削りと鏡像である。例えば、図８に示される内向きに伸びるＶ字形の起伏刃先１５２は、レンズの縁に外向きのＶ字形状の斜面を形成する。
【００４２】
刃１２８は、図７に凹部Ｒ４によって示すように刃１２８の第二の側面１４４が第一の壁１５４に隣接するように凹部Ｒ１−Ｒ４の１つ中に位置する。刃１２８は、基部に遠い部分１０６の外側の表面１２０から軸方向及び径方向に伸びる。取り付けブラケット１３０もまたＲ４中に位置し、底１１８の第一の部分１２２中でねじ山のついた穴１２６と一直線に並んだ開口１３８を有し、脚部１３６は刃１２８の第一の側面１４０に隣接する。取り付けスクリュー１３２のねじ山のついた部分は開口１３８を通り抜け、ねじ山のついた穴１２６にねじ留めされていてもよい。脚部１３６が、主要部分１３４に対して角度を有しているので、脚部１３６は刃１２８の第一の側面１４０に対して力を及ぼされ、取り付けスクリュー１３２が穴１２６中にねじ留めされるときに、第一の側面１４０に対して引張られる。こうして、取り付けブラケット１３０と刃１２８は、基部に遠い部分１０６にしっかりと取り付けられる。刃１２８は単純に取り付けスクリュー１３２を緩めることにより、脚部１３６を刃１２８の第一の側面１４０から緩めることになり、容易に取り外され交換することができる。
【００４３】
同様に刃１２８は凹部Ｒ１−Ｒ３中に取り付けられる。しかしながら、凹部Ｒ１は好ましくは凹部Ｒ２−Ｒ４に取り付けられた刃１２８より長い第二の刃先１５０を有する刃１２８’を受け入れる形状である。レンズは刃１２８’の長い第二の刃先１５０ を用いてレンズの縁の輪郭を形成することなく削ることができる。レンズは、刃１２８’の第二の刃先１５０のみを用いて、所望の最終の大きさと形状より僅かに大きいサイズに削ることができる。そうして、レンズは凹部Ｒ２−Ｒ４中の１つの刃１２８の刃先１４８、１５０、１５２を用いて、斜面や溝又はその他の輪郭を有するように削られる。もちろん、レンズは最初に刃１２８’の長い第二の刃先１５０を用いることなく削ることができる。しかし、加工過程は、平面的な刃先１５０のみを用いて最初に所望の最終サイズに近い大きさにすると、より速い。
【００４４】
好ましくは、 ルーターツールＴのそれぞれの刃１２８は、異なった形状である。こうしてルーターツールＴは、さまざまな形状の切削縁を有するレンズを形作るのに用いることができる。こうして、技術者は、レンズに所望の形状を形成するのに、刃１２８の１つの刃先１４２を選択することにより、同じルーターツールＴを用いることができる。
【００４５】
以前は、技術者は異なった斜面や溝が必要な度にルーターツールを交換する必要があった。本発明では、ルーターツールＴは、レンズの縁に４種の異なった輪郭を形成するために用いることができ、製造にかかる時間及び費用を節約することができる。もちろん、ルーターツールは４つ以上または４つ未満のカッターアセンブリを有していてもよいが、好ましくは、少なくとも２つのカッターアセンブリを有する。一般的に、ルーターツールＴの長さは、基部に遠い部分１０６にカッターアセンブリが増えるにつれ、カッターアセンブリは軸方向に互いに離れて配置されるので、長くなる。 ルーターツールＴの許容される長さは、レンズ加工機中でのルーターツールＴのための空間の大きさによって制限される。
【００４６】
ルーターツールＴは、図４−６に示すように、基部に遠い部分１０６の周囲に形成された溝１５６を有していてもよく、溝１５６は、起伏刃先１５２のそれぞれと一直線上にある。技術者は、刃１２８を取り付ける及び／又は交換する際に、ただ 起伏刃先１５２を対応する溝１５６と一列に並べればよい。溝１５６は、起伏刃先１５２すなわち刃１２８を基部に遠い部分１０６に関して正確に方向づけることを可能とする。
【００４７】
当業者には本願の趣旨から逸脱することなく、本発明の構成に様々な変更や改良を加えることができることがわかる。それゆえ、本発明はそういった全ての変更や改良を請求項およびその均等範囲に含むことを意図している。
【図面の簡単な説明】
【００４８】
【図１】本発明のレンズ加工機の第一の態様のハウジングを遠近法で表したものである。
【図２】第一の態様におけるレンズ加工機の平面図であり、部分的な概略図である。
【図３】図２の線３−３に沿った面を矢印の方向から見た断片的な図である。
【図３Ａ】レンズ加工機の第二の態様の平面図であり、部分的な概略図である。
【図４】本発明の一つの態様におけるルーターツールの遠近法で表した図である。
【図５】ルーターツールの断片的な遠近法による図であって、カッターアセンブリを分解した図である。
【図６】図４に示されたルーターツールの側面図である。
【図７】図６の線７−７に沿った断面図であって、矢印の方向から見た図である。
【図８】本発明の一つの態様における刃の遠近法による図である。
【図９】本発明の他の態様における刃の遠近法による図である。
【図１０】本発明のさらに他の態様における刃の遠近法による図である。
【図１】
2008516785.tif 000003
【図２】
2008516785.tif 000004
【図３】
2008516785.tif 000005
【図３Ａ】
2008516785.tif 000006
【図４】
2008516785.tif 000007
【図５】
2008516785.tif 000008
【図６】
2008516785.tif 000009
【図７】
2008516785.tif 000010
【図８】
2008516785.tif 000011
【図９】
2008516785.tif 000012
【図１０】
2008516785.tif 000013
【国際調査報告】
2008516785.tif 000014
2008516785.tif 000015